(57)【要約】【課題】  簡素な構成であっても好適な眼底像を取得できる眼科装置を提供する。【解決手段】  被検者眼の瞳孔と共役となる位置を通過する眼底からの光束を制限する撮像絞り部を、対物レンズと撮像素子との間に配置して、対物レンズと撮像絞り部とを介して被検者眼の眼底像を撮像素子で撮像する撮像光学系と、第１光源を有し、第１光源が出射する第１の波長の光であり、かつ被検者眼の瞳孔を通過する光束が制限された光を自発蛍光励起光として，対物レンズを介して被検者眼に投光する第１投光光学系と、撮像光学系と第１投光光学系とで少なくとも一部の光路を共用するための第１光路合成部と、を備え、撮像光学系の、対物レンズと，被験者眼の瞳孔と共役となる共役位置と，の間に第１光路合成部を設けた。【選択図】      図２
2016007433.tif 000002
【特許請求の範囲】
【請求項１】
被検者眼の瞳孔と共役となる位置を通過する眼底からの光束を制限する撮像絞り部を、対物レンズと撮像素子との間に配置して、前記対物レンズと前記撮像絞り部とを介して被検者眼の眼底像を前記撮像素子で撮像する撮像光学系と、
第１光源を有し、前記第１光源が出射する第１の波長の光であり、かつ被検者眼の瞳孔を通過する光束が制限された前記第１の波長の光を自発蛍光励起光として，前記対物レンズを介して被検者眼に投光する第１投光光学系と、
前記撮像光学系と前記第１投光光学系とで少なくとも一部の光路を共用するための第１光路合成部と、
を備え、
前記撮像光学系の、前記対物レンズと，前記対物レンズを介して被験者眼の瞳孔と共役となる共役位置と，の間に前記第１光路合成部を設けたことを特徴とする眼科装置。
【請求項２】
請求項１に記載の眼科装置は、
第２光源を有し、前記第２光源が発した光を用いて前記第１の波長とは異なる第２の波長の光で被検者眼の眼底に投光する第２投光光学系を備え、
前記第２投光光学系は、前記第１投光光学系とは異なる方向から、前記第１光路合成部によって前記撮像光学系と前記第１投光光学系とで少なくとも一部の光路が共用される共用光路に向けて進み、前記第２光源の光を前記共用光路と前記対物レンズとを介して被験者眼の眼底に投光する、
ことを特徴とする眼科装置。
【請求項３】
請求項２に記載の眼科装置は、
前記撮像光学系と前記第２投光光学系との少なくとも一部の光路を共用するための第２光路合成部であって、前記対物レンズを介して被検者眼の瞳孔と共役となる位置に設けられる第２光路合成部を備え、
前記第２投光光学系は、前記第２光路合成部と前記第２光源との間に、前記第２光源が発した光の被検者眼の角膜を透過する光束を制限する第３光束制限部を備える、
ことを特徴とする眼科装置。
【請求項４】
請求項３に記載の眼科装置であって、
前記第２投光光学系は更に、前記第３光束制限部と前記第２光源との間に設けられ、前記第２光源が発した光の被検者眼の瞳孔を通過する光束を制限する第４光束制限部を備えることを特徴とする眼科装置。
【請求項５】
請求項１〜４のいずれか１項に記載の眼科装置であって、
前記撮像光学系の、前記対物レンズと，前記対物レンズを介して被験者眼の水晶体後面と共役となる共役位置と，の間に前記第１光路合成部を設け、
前記第１投光光学系は更に、前記第１光源と前記第１光路合成部との間に設けられ、前記第１光源が発した光の光束を制限する第１光束制限部を備える、
ことを特徴とする眼科装置。
【請求項６】
請求項５に記載の眼科装置であって、
前記第１光束制限部と，前記対物レンズを介して被検者眼の角膜と共役になる位置と，の間に前記第１光源を配置することを特徴とする眼科装置。
【請求項７】
請求項１〜６のいずれか１項に記載の眼科装置であって、
前記撮像光学系は、前記第１投光光学系によって被検者眼の眼底で発生した自発蛍光を前記撮像素子で撮像するためのバリアフィルタ部であって、前記撮像絞り部と前記撮像素子との間にバリアフィルタ部を備える、
ことを特徴とする眼科装置。
【請求項８】
請求項１〜６のいずれか１項に記載の眼科装置であって、
前記第１光路合成部は，前記第１投光光学系によって被検者眼の眼底で発生した自発蛍光を前記撮像素子で撮像するためのバリアフィルタとしての光学特性を備える、
ことを特徴とする眼科装置。
【請求項９】
請求項１〜８のいずれか１項に記載の眼科装置であって、
前記第１光路合成部と前記第１光源との間に第３光路合成部を設け、前記第３光路合成部によって前記第１投光光学系から分岐した光路に設けられた受光手段で被検者眼の眼底とは異なる部位の画像を取得することを特徴とする眼科装置。
【請求項１０】
請求項１〜８のいずれか１項に記載の眼科装置であって、
前記対物レンズと前記第１光路合成部との間に第４光路合成部を設け、前記第４光路合成部によって前記第１投光光学系から分岐した光路に設けられた受光手段で被検者眼の眼底とは異なる部位の画像を取得することを特徴とする眼科装置。
【発明の詳細な説明】
【技術分野】
【０００１】
本発明は、被検者眼の眼底情報を取得する眼科装置に関する。
【背景技術】
【０００２】
被検者眼の眼底情報を取得する眼科装置として、照明光学系に設けられたターレットを回転することで、撮影光源を発した光の帯域を狭めて励起光とし、励起光で照明された眼底で生じた蛍光から蛍光眼底像を取得する眼科装置が知られている（特許文献１参照）。特許文献１の装置においては、対物レンズを介して被検者眼の瞳孔と最初に共役となる位置に、孔開きミラーを光路分岐部材として配置して、光路分岐部材で分岐された光路の瞳孔と共役（対物レンズを介して２回目の共役となる位置）となる位置に、開口部がリング形状となる遮光板を配置している。
【０００３】
また、蛍光撮影機能の搭載に係わらず、眼底カメラと呼ばれる眼底撮影装置では、開口部がリング形状となる遮光部材を照明光学系の異なる位置に複数配置することで、照明光によって被検者眼の眼底以外の部位で生じる不要な反射光を低減する技術が広く用いられている（例えば特許文献２参照）。
【先行技術文献】
【特許文献】
【０００４】
【特許文献１】特開２００９−６６１０９号公報
【特許文献２】特公平６−５１０２４号公報
【発明の概要】
【発明が解決しようとする課題】
【０００５】
しかしながら、照明光学系に遮光部材を配置すると、不要な反射光が低減された眼底情報を得ることが可能になる一方で、光源から射出された光は、遮光部材で減光され易くなる。また、被検者眼の眼底の蛍光を得るためには、通常のカラー撮影等に対して大きな光量を要する。特に、被検者眼に蛍光剤を注入（注射）せずに被検者眼の眼底の蛍光反応を撮像する自発蛍光撮影は、ＦＡＧと呼ばれる通常の蛍光撮影よりも更に、光源の発光量を要する。カラー撮影，蛍光撮影に係わらず、光源の発光量を増加させるためには複雑または高額な光源を備える必要がある。
【０００６】
本発明は、蛍光撮影に適した光学系を用いて、簡素な構成であっても好適な眼底像を取得できる眼科装置を提供することを技術課題とする。
【課題を解決するための手段】
【０００７】
上記課題を解決するために、本発明は以下のような構成を備えることを特徴とする。
被検者眼の瞳孔と共役となる位置を通過する眼底からの光束を制限する撮像絞り部を、対物レンズと撮像素子との間に配置して、前記対物レンズと前記撮像絞り部とを介して被検者眼の眼底像を前記撮像素子で撮像する撮像光学系と、第１光源を有し、前記第１光源が出射する第１の波長の光であり、かつ被検者眼の瞳孔を通過する光束が制限された前記第１の波長の光を自発蛍光励起光として，前記対物レンズを介して被検者眼に投光する第１投光光学系と、前記撮像光学系と前記第１投光光学系とで少なくとも一部の光路を共用するための第１光路合成部と、を備え、前記撮像光学系の、前記対物レンズと，前記対物レンズを介して被験者眼の瞳孔と共役となる共役位置と，の間に前記第１光路合成部を設けたことを特徴とする。
【発明の効果】
【０００８】
本発明によれば、簡素な構成であっても好適な眼底像を取得できる眼科装置を提供することができる。
【図面の簡単な説明】
【０００９】
【図１】第一実施形態の眼科装置の外観構成図である。
【図２】図１の眼科装置の光学系及び制御系を説明する説明図である。
【図３】投光光束・撮像光束の概念図である。
【図４】第二実施形態の眼科装置の光学系及び制御系を説明する説明図である。
【図５】本実施形態の第１光源を説明するための説明図である。
【図６】本実施形態の光束制限部を説明するための説明図である。
【図７】本実施形態の第１光束制限部を説明するための説明図である。
【図８】第二実施形態の撮像絞り部を説明するための説明図である。
【図９】第１光源部の変容例を説明するための説明図である。
【発明を実施するための形態】
【００１０】
以下図面を参照して、本開示における典型的な実施形態を説明する。
＜１．第一実施形態＞
先ず、図１を用いて本開示における第一実施形態の眼科装置を説明する。
＜１−１．構成＞
図１は本実施形態に係る第一実施形態の眼科装置１００Ａの外観構成図である。眼科装置１００Ａは、基台１と、移動台２と、撮像部３と、顔支持部５を有する。眼科装置１００Ａは被検者眼Ｅの眼底情報を取得する装置とされている。本実施形態においては、撮像部３を用いて、眼底情報として被検者眼Ｅの眼底像を取得する。移動台２は、基台１に対して左右方向（Ｘ方向）及び前後（作動距離）方向（Ｚ方向）に移動可能とされている。撮像部３（装置本体）は、移動台２に対して３次元方向に移動可能に設けられる。撮像部３は、後述する各種光学系を収納する。顔支持部５は、被検者眼Ｅの顔を支持するために基台１に固設されている。
【００１１】
眼科装置１００Ａは自動移動機構と手動移動機構とを有する。自動移動機構は電動機を有する。自動移動機構によって、被検者眼Ｅに対して撮像部３を相対移動できる。より具体的には、撮像部３はＸＹＺ駆動部６を有する。ＸＹＺ駆動部６は移動台２に設けられる。ＸＹＺ駆動部６と移動台２とによって、撮像部３は、被検者眼Ｅに対して左右方向（Ｘ方向）、上下方向（Ｙ方向）及び前後方向（Ｚ方向）に移動される。手動移動機構は操作手段を有し、操作手段としてジョイスティック４（操作部材）を有する。ジョイスティック４の操作によって、被検者眼Ｅに対して撮像部３を相対的に移動させる。より具体的には、基台１上で移動台２をＸＺ方向に摺動させる図示無き摺動機構が設けられている。ジョイスティック４が操作されると、移動台２が摺動機構によって基台１上をＸＺ方向に摺動される。また、ジョイスティック４は回転ノブ４ａと撮影スイッチ４ｂを有する。検者が回転ノブ４ａを回転操作することにより、ＸＹＺ駆動部６がＹ駆動し撮像部３が上下方向に移動される。また、検者が撮影スイッチ４ｂを押すと、被検者眼Ｅの眼底ＥＲの眼底像の取得が行われる。また、眼科装置１００Ａは表示手段としてモニタ８を有する。モニタ８は撮像部３の検者側に配置される。モニタ８には、眼底観察像、眼底撮影像、及び前眼部観察像等が表示される。なお、移動機構はこれに限るものでない。例えば、ＸＹＺ駆動部６のみで被検者眼Ｅに対する撮像部３の移動を行ってもよい。
【００１２】
図２は、撮像部３に収納される光学系及び制御系を説明する説明図である。図２において、撮像部３は、第１投光光学系１０、第２投光光学系２０、撮像光学系３０、前眼部観察光学系４０、及び図示なき固視標呈示光学系、を有する。なお、第１投光光学系１０は光軸ＬＡを有し、第２投光光学系２０は光軸ＬＢを有し、撮像光学系３０は光軸ＬＣを有し、前眼部観察光学系４０は光軸ＬＤを有するものとする。なお、図２の各々の光軸上にマル印（Ｏ印）で記した箇所は、対物レンズ３１を介して被検者眼Ｅの瞳孔ＥＰと共役となる位置を指す。また、図２の各々の光軸上にバツ印（Ｘ印）で記した箇所は、対物レンズ３１を介して被検者眼Ｅの眼底ＥＲと共役となる位置を指す。マル印及びバツ印の意味は、後述する第二実施形態の眼科装置１００Ｂの撮像部に収納される光学系についても同様である（図４参照）。なお、本開示における「共役」は、必ずしも厳密な共役のみを意味するものではない。例えば、被検者眼Ｅの構造（例えば、角膜頂点から瞳孔面までの距離、水晶体の厚さ）の違いによって共役関係が僅かにずれる可能性もある。このように、僅かにずれた共役関係も、本開示における「共役」に含まれる。
＜１−２．撮像光学系＞
【００１３】
本実施形態の撮像光学系３０は、被検者眼Ｅの眼底を撮像するための光学系とされている。本実施形態の撮像光学系３０は、眼底観察光学系８０と眼底撮影光学系９０を有する。本実施形態の眼底観察光学系８０は、被検者眼Ｅの眼底ＥＲを観察するために、赤外光（略無色）が投光された被検者眼Ｅの眼底ＥＲを撮像するための光学系とされている。赤外光を投光するのは、被検者眼Ｅに対する撮像部３の位置合わせ等を行う観察時に、観察光によって被検者眼の瞳孔ＥＰが縮瞳される現象を抑制するためである。本実施形態の眼底撮影光学系９０は、被検者眼Ｅの眼底ＥＲを撮影するために、可視光（昼白色又は青緑色）が投光された被検者眼Ｅの眼底ＥＲを撮像するための光学系とされている。なお、眼底観察光学系８０は光軸ＬＣ１を有し、眼底撮影光学系９０は光軸ＬＣ２を有する。眼底撮影光学系９０は、対物レンズ３１、第１光路合成部３２Ａ、板ガラス３３、第２光路合成部３４、撮像絞り部３５Ａ、フォーカシングレンズ３６、結像レンズ３７、光路合成部３８、視野絞り９１、ミラー９２、リレーレンズ９３、バリアフィルタ部９４、及び撮像素子９５を有する。眼底観察光学系８０の光軸ＬＣ１と眼底撮影光学系９０の光軸ＬＣ２とは対物レンズ３１から光路合成部３８にかけて同軸とされる。換言するなら、眼底観察光学系８０と眼底撮影光学系９０とは、光路合成部３８で合成され、対物レンズ３１から光路合成部３８の区間の光路を共用する。眼底観察光学系８０は、眼底撮影光学系９０と共用される対物レンズ３１から光路合成部３８までの部材のほか、ミラー８１、リレーレンズ８２、及び撮像素子８３を有する。
【００１４】
第１光路合成部３２Ａは、第１投光光学系１０と撮像光学系３０の光路を合成する部材とされている。換言するなら、第１光路合成部３２Ａは、光軸ＬＡと光軸ＬＣとを同軸にする。第１光路合成部３２Ａとしてダイクロイックミラー、ダイクロイックプリズム等を用いてもよい。なお、本実施形態においては、対物レンズ３１と，対物レンズ３１を介した被検者眼Ｅの瞳孔ＥＰの第１結像位置（図２において撮像絞り部３５Ａの箇所のマル印）と，の間に第１光路合成部３２Ａが設けられている。なお、第１結像位置とは、対物レンズ３１を介して被検者眼Ｅの各部位と初めて共役となる位置を指す。前述した第１結像位置となる位置を、第１共役位置と呼ぶ場合もある。本実施形態では対物レンズ３１と第２光路合成部３４との間に第１光路合成部３２Ａが設けられている。本実施形態の第１光路合成部３２Ａはダイクロイックミラー（波長選択性ミラー）とされており、ダイクロイックミラーは、撮像光学系３０の光軸ＬＣに対して斜設されている。
【００１５】
第１光路合成部３２Ａは、アライメント指標部２５０が発する光（赤外光）に対応した中心波長９５０ｎｍの光、及び第１投光光学系１０が発する光に対応した中心波長４９０ｎｍの光を反射する。また、第１光路合成部３２Ａは、第２投光光学系２０が発する光に対応した７００〜８８０ｎｍ帯の波長域の光、および第１投光光学系１０が投光した自発励起光によって生じた眼底からの自発蛍光を通過する特性を有する。つまり、本実施形態の第１光路合成部３２Ａは、中心波長４９０ｎｍ及び中心波長９５０ｎｍの光を反射し、７００〜８８０ｎｍ帯の波長域の光を通過する。なお、アライメント指標部２５０は撮像部３の外装部に設けられており、対物レンズ３１を介さずに被検者眼Ｅに投光される。板ガラス３３は、撮像光学系３０に第１光路合成部３２Ａを挿入することで生じる光軸ＬＣの軸ズレを戻す軸ズレ補償手段とされている。本実施形態の板ガラス３３は、第１光路合成部３２Ａの厚さに対応している。本実施形態の板ガラス３３は、観察及び撮影に用いる波長域の光を通過する。なお、第１光路合成部３２Ａは中心波長４９０ｎｍの光を反射するが、中心波長からプラス側又はマイナス側に離れる波長値における反射特性は、適宜設定すればよい。後述する第二実施形態における第１光路合成部３２Ｂ、及び第４光路合成部８９も同様に、中心波長からプラス側又はマイナス側に離れる波長値における反射特性を、適宜設定すればよい。
【００１６】
本実施形態の第１光路合成部３２Ａ及び板ガラス３３は、撮像光学系３０に挿脱可能とされている。より詳しくは、撮像光学系３０が有する挿脱手段２７０によって、第１光路合成部３２Ａ及び板ガラス３３を撮像光学系３０に対して挿脱可能としている。なお、挿脱手段２７０は、ソレノイドとカム等により構成してもよい。制御部２００の制御によって、第１光路合成部３２Ａ及び板ガラス３３は、観察時及び自発蛍光撮影時に光路に挿入され、カラー撮影時は光路から脱出される。第２光路合成部３４は、対物レンズ３１と撮像絞り部３５Ａとの間に設けられている。本実施形態の第２光路合成部３４は、孔あきミラーであり、孔あきミラーは、撮像光学系３０の光軸ＬＣに対して斜設して設けられている。第２光路合成部３４は、撮像光学系３０と第２投光光学系２０の光路を合成する合成部材とされている。換言するなら、第２光路合成部３４は、光軸ＬＢと光軸ＬＣとを同軸にする。本実施形態の第２光路合成部３４は、撮像光学系３０の光束を、穴あきミラーの中央に設けられている開口部で通過させる。また、開口部の周囲に設けられるミラー箇所で、光軸ＬＣに向かってくる第２投光光学系２０からの光を、対物レンズ３１の方向へ反射させる。
【００１７】
撮像絞り部３５Ａは、第２光路合成部３４とフォーカシングレンズ３６との間に配置される。撮像絞り部３５Ａは、撮像光学系３０の光軸ＬＣ上、かつ、対物レンズ３１を介して被検者眼Ｅの瞳孔ＥＰの第１結像位置（共役位置）に設けられている。撮像絞り部３５Ａは、撮像光学系３０の光束を抑制する開口絞りとして作用する。なお、被検者眼Ｅの構造には個人差があるため、被検者眼Ｅとの共役位置は、眼の構造の統計データ、公知のグルストランド模型眼のデータ等を用いて規定してもよい。フォーカシングレンズ３６は、被検者眼Ｅの眼底ＥＲと，撮像素子９５（撮像素子８３）と，を共役の位置関係にするために用いられる。フォーカシングレンズ３６は、駆動手段２７１によって、撮像光学系３０の光軸ＬＣの軸方向に移動可能とされている。フォーカシングレンズ３６が軸方向に移動することで、被検者眼Ｅの視度（ディオプター値）によらず、被検者眼Ｅの眼底ＥＲと撮像素子９５（撮像素子８３）とを共役の位置関係にできる。
【００１８】
光路合成部３８は、眼底観察光学系８０と眼底撮影光学系９０の光路とを合成する合成部材とされている。換言するなら、光路合成部３８は、光軸ＬＣ１と光軸ＬＣ２とを同軸にする。本実施形態の眼科装置１００Ａの光路合成部３８はミラーであり、挿脱手段２７２によって眼底撮影光学系９０の光路に対して挿脱可能とされている。なお、挿脱手段２７２は、ソレノイドとカム等により構成してもよい。また、光路合成部３８はミラーに限るものでなく、ダイクロイックミラー又はハーフミラーをはじめとする他の光路合成部材を用いてもよい。バリアフィルタ部９４はリレーレンズ９３と撮像素子９５との間に設けられる。本実施形態のバリアフィルタ部９４は、被検者眼Ｅから対物レンズ３１に入射する光から、自発蛍光を取り出して撮像素子９５で受光するために用いられる。本実施形態のバリアフィルタ部９４は、７００〜８５０ｎｍ帯の波長域の光を通過し、７００〜８５０ｎｍを含めない波長域の光を減光又は遮光する特性を有している。バリアフィルタ部９４の特性はこれに限るものでなく、撮像素子９５で撮像する蛍光に対応した波長特性を設定すればよい。例えば、バリアフィルタ部９４の特性は、被検者眼Ｅに投光する蛍光用励起光の波長に対応した波長特性を設定すればよい。また、本実施形態のバリアフィルタ部９４は、挿脱手段２７３によって、撮像光学系３０（眼底撮影光学系９０）の光路に対して挿脱可能とされている。挿脱手段２７３として、ソレノイド等を用いてもよい。また、本実施形態の第１光路合成部３２Ａは７００〜８８０ｎｍ帯の波長域の光を通過させるため、第１光路合成部３２Ａはバリアフィルタ部９４と同等のフィルタ特性を有するといえる。したがって、バリアフィルタの作用を第１光路合成部３２Ａが備えることとして、バリアフィルタ（バリアフィルタ部９４）を撮像光学系３０に独立して配置しない構成としてもよい。
【００１９】
また、本実施形態のバリアフィルタ部９４が配置される位置において、７００〜８５０ｎｍ帯の波長域の光のみを通過させるバリアフィルタ部９４と、４００〜７００ｎｍ帯の波長域の光のみを通過させる図示なきカラーフィルタとを、前述した挿脱手段２７３を用いて入れ替え可能な形態としてもよい。４００〜７００ｎｍ帯の波長域の光のみを透過させるバンドパスフィルタを用いることで、バンドパスフィルタ（及びバリアフィルタ部９４）を用いない場合に対して、撮像素子９５で色再現性を向上した被検者眼Ｅのカラー画像を取得できる。なお、バンドパスフィルタを投光光路（本実施形態においては第２投光光学系２０）に挿脱可能に設けてもよい。撮像素子９５は、撮像光学系３０（眼底撮影光学系９０）の基端に設けられる。本実施形態の撮像素子９５は、被検者眼Ｅの自発蛍光撮影及び通常カラー撮影を行う受光手段（被検者眼Ｅからの光を受光する）として用いられる。撮像素子９５は、被検者眼Ｅの眼底ＥＲと共役となる位置に設けられる。撮像素子９５は、可視光及び赤外光に感度を有する２次元撮像素子とされている。なお、本実施形態の撮像素子９５は、撮像素子９５で自発蛍光撮影と通常カラー撮影とを行うため、赤色、青色、緑色のカラーフィルタを受光部の直前にベイヤ配列で設けたカラーイメージセンサとされている。例えば、自発蛍光撮影（及び蛍光撮影）のみを行う場合、カラーフィルタを省いたモノクロイメージセンサを用いてもよい。
【００２０】
光路合成部３８で眼底観察光学系８０と眼底撮影光学系９０との共用光路から分岐（合成）される眼底観察光学系８０の基端には、撮像素子８３が設けられる。本実施形態の撮像素子９５は、被検者眼Ｅの眼底ＥＲの観察を行う受光手段（被検者眼Ｅの眼底からの光を受光する）として用いられる。撮像素子９５は、被検者眼Ｅの眼底ＥＲと共役となる位置に設けられる。撮像素子９５は、少なくとも赤外光に感度を有する２次元撮像素子とされる。本実施形態の撮像素子９５はモノクロイメージセンサとされている。なお、撮像素子８３及び前述した撮像素子９５に、ＣＣＤ（Ｃｈａｒｇｅ Ｃｏｕｐｌｅｄ Ｄｅｖｉｃｅ）イメージセンサ、ＣＭＯＳ（Ｃｏｍｐｌｅｍｅｎｔａｒｙ Ｍｅｔａｌ Ｏｘｉｄｅ Ｓｅｍｉｃｏｎｄｕｃｔｏｒ）イメージセンサを用いてもよい。
＜１−３．前眼部観察光学系＞
【００２１】
本実施形態の前眼部観察光学系４０は、被検者眼Ｅの前眼部を観察するために、被検者眼Ｅの前眼部を撮像するための光学系とされている。前眼部観察光学系４０は、対物レンズ３１、第１光路合成部３２Ａ、第３光路合成部１１、フィールドレンズ４１、リレーレンズ４２、及び撮像素子４３を有する。なお、前眼部観察光学系４０と第１投光光学系１０とは、第３光路合成部１１で合成され、対物レンズ３１から第３光路合成部１１の区間の光路を共用している。換言するなら、第３光路合成部１１は、光軸ＬＡと光軸ＬＤとを同軸とする。前眼部観察光学系４０の基端に撮像素子４３が設けられる。本実施形態の撮像素子４３を含む前眼部観察光学系４０は、撮像光学系３０とは異なる手法で被検者眼Ｅの眼情報を取得する受光手段とされている。本実施形態の撮像素子４３は、被検者眼Ｅの瞳孔ＥＰと共役となる位置に設けられている。アライメント指標部２５０の光源から出射され、被検者眼Ｅの前眼部の位置で反射した光（中心波長９５０ｎｍ）は、対物レンズ３１から入光した後に、第１光路合成部３２Ａ及び第３光路合成部１１で反射して撮像素子４３で受光される。したがって、撮像素子４３で被検者眼Ｅの前眼部像が撮像される。撮像素子４３は、少なくとも赤外光に感度を有する２次元撮像素子とされる。例えば、撮像素子４３と撮像素子８３とを同一特性の部材としてもよい。第３光路合成部１１の説明は後述する。
＜１−４．第１投光光学系＞
【００２２】
本実施形態の第１投光光学系１０は、被検者眼Ｅの自発蛍光眼底像を取得するために、被検者眼Ｅの眼底ＥＲに自発蛍光励起光（青緑色）を投光するための光学系とされている。本実施形態の第１投光光学系１０は、対物レンズ３１、第１光路合成部３２Ａ、第３光路合成部１１、第１光束制限部１２、光束制限部１３、及び第１光源１４を有する。光束制限部１３は被検者眼Ｅの瞳孔ＥＰと共役となる位置に設けられている。より詳しくは、光束制限部１３は、対物レンズ３１を介して被検者眼Ｅの瞳孔ＥＰの第１結像位置に設けられている。光束制限部１３は、孔が開いた板状の部材で形成されており、開口部１３Ａがリング形状（円環形状）とされる（図６（ａ）参照）。なお、図６（ａ）においては、第１光源１４のＬＥＤ（１４Ａ〜１４Ｄ）を点線で示している。第１光源１４については後述する。第１光源１４のＬＥＤから射出された光は、一部が遮光され、一部は光束制限部１３の開口部を通過する（図６（ｂ）参照）。なお、本実施形態においては軸対照とされているため、距離Ｔ１及び距離Ｔ２は他の開口部の方向についても同様である。なお、ガラス板にエッチング等の処理を行うことによって光束制限部１３を形成してもよい。
【００２３】
また、本実施形態においては、光束制限部１３と第１光源１４とを組み合わせる態様としたが、これに限るものでは無い。例えば、光束制限部１３を有する第１光源１４を用いてもよい。図９は第１光源１４の実施形態の変容例であり、本実施形態においては、第１光源１４の射出開口の寸法を、前述した図６の実施形態に相当する構造としたものである。図９の実施形態においては、被検者眼Ｅの瞳孔ＥＰと共役となる位置において、光軸ＬＡからの距離Ｔ１及び射出開口部の距離Ｔ２が図６の実施形態と同じとされている。図９の実施形態の光源はＬＥＤであり、距離Ｔ２以下の射出開口部を有するＬＥＤを選定し、当該ＬＥＤの射出開口部の端部（光軸ＬＡ側）が、光軸ＬＡから距離Ｔ１となるように支基１４Ｅ（回路基板等）に配置したものとされる。したがって、図９に記した実施形態の第１光源１４は、光束制限部１３を備えている。図９の実施形態においては、ＬＥＤのフレーム又は開口支基が光束制限部１３を形成している。なお、いわゆるレンズ付きＬＥＤと呼ばれる、レンズ機能（光束変化手段）を含むＬＥＤの放射角度特性によって、光束制限部１３を含む第１光源１４としてもよいことは言うまでもない。
【００２４】
なお、光束制限部１３を含む第１光源１４の配置位置は被検者眼Ｅの瞳孔ＥＰと共役となる位置に設けることに限らない。例えば、本実施形態の距離Ｔ１よりも長い距離Ｔ１Ａとし、射出開口部の端部（射出側）を被検者眼Ｅの瞳孔ＥＰよりも角膜ＥＣ側となる位置に配置させてもよい。つまり、被検者眼Ｅの瞳孔ＥＰの位置で、投光光束（図３における光束ＰＡ及び光束ＰＢ）と撮像光束（図３における光束Ｓ）とが重ならないようにすればよい。なお、光束制限部１３及び第１光源１４、光束制限部１３を含む第１光源１４の実施形態は本実施形態に限るものでは無い。例えば、光軸ＬＡから離れる方向に距離Ｔ２を長くしてもよい。但しこの場合、被検者眼Ｅの虹彩で遮光され易くなると考えられる。また、第１光源１４の光源部に、射出開口が距離Ｔ２よりも小さくなるＬＥＤを選定し、当該ＬＥＤを複数個用いて、マトリックス状，ハニカム状に並べてもよい。
【００２５】
第１光源１４は第１投光光学系の基端に設けられている。本実施形態の第１光源１４は、自発蛍光撮影を行うための励起光の光源とされる。本実施形態の第１光源は、被検者眼Ｅの瞳孔ＥＰと共役となる位置と、被検者眼Ｅの角膜ＥＣの頂点と共役となる位置との間に設けられている。本実施形態の第１光源はＬＥＤ（Ｌｉｇｈｔ  Ｅｍｉｔｔｉｎｇ  Ｄｉｏｄｅ）であり、複数個のＬＥＤ（１４Ａ〜１４Ｄ）の各々を、第１投光光学系１０の光軸ＬＡから離間させて配置している（図５参照）。また、本実施形態の第１光源１４は、複数個のＬＥＤを第１投光光学系１０の光軸ＬＡを中心として円環状に配置させている。本実施形態の第１光源１４は、複数個のＬＥＤを第１投光光学系１０の光軸ＬＡを中心として軸対象に配置させている。本実施形態の第１光源は、中心波長が４９０ｎｍとされるＬＥＤを用いている。また、同一種類のＬＥＤを４つ用いている。なお、第１光源１４はＬＥＤに限るものでは無い。例えば、クセノンフラッシュランプと光学フィルタとを組み合わせて設けてもよい。
【００２６】
光束制限部１３と第１光路合成部３２Ａとの間に第１光束制限部１２が設けられている。本実施形態の第１光束制限部１２は、被検者眼Ｅの水晶体部で生じる可能性のある不要な光（反射光又は蛍光）を抑制する不要光抑制手段とされている。本実施形態の第１光束制限部１２は被検者眼Ｅの水晶体ＥＬの後端部（網膜側）と共役となる位置に設けられている。本実施形態の第１光束制限部１２は、孔が開いた板状の部材で形成されており、開口部１２Ａがリング形状（円環形状）とされる（図７参照）。
【００２７】
本実施形態の第１光源１４を射出した光は、光束制限部１３、第１光束制限部１２、第３光路合成部１１、及び対物レンズ３１を通過して、被検者眼Ｅに投光される。なお、第１光源１４から射出されて第１光路合成部３２Ａに向かう光は、第１光路合成部３２Ａを構成するダイクロイックミラーの特性によって、対物レンズ３１の方向に反射される。第１光源１４を射出された光は、第１光路合成部３２Ａで反射されることで、第１投光光学系１０の光軸ＬＡと撮像光学系３０の光軸ＬＣとが同軸となって、被検者眼Ｅに投光される。なお、第１投光光学系１０によって被検者眼Ｅに投光される光の波長（第１波長λ１）は中心波長４９０ｎｍの光とされている。本実施形態の眼科装置１００Ａは、第１波長λ１の光を蛍光励起光として被検者眼Ｅに投光することで、被検者眼Ｅで生じた自発蛍光を撮像光学系３０の撮像素子９５で撮像する。なお、本実施形態の眼科装置１００Ａは、バリアフィルタ部９４を通過する７００〜８５０ｎｍ帯の波長域の光を被検者眼Ｅで生じた自発蛍光として撮像素子９５で撮像する。つまり、第１光源１４を用いた中心波長４９０ｎｍの光を励起光として、バリアフィルタ部９４を介して撮像素子９５で被検者眼Ｅの眼底情報を取得する。第１光源を用いる場合には、被検者眼Ｅの眼底情報として自発蛍光像を取得する。
【００２８】
なお、第３光路合成部１１は、第１光束制限部１２と第１光路合成部３２Ａとの間に設けられている。つまり、被検者眼Ｅの水晶体後面ＥＬ１共役位置と眼底ＥＲ共役位置との間に設けられている。第３光路合成部１１は、第１投光光学系の光軸ＬＡに対して斜設されている。第３光路合成部１１は、第１投光光学系１０と前眼部観察光学系４０の光路を合成する部材とされている。換言するなら、第３光路合成部１１は、光軸ＬＡと光軸ＬＤとを同軸とする。本実施形態では、第３光路合成部１１としてダイクロイックミラー（波長選択性ミラー）を用いている。第３光路合成部１１は、アライメント指標部２５０が発する光に対応した中心波長９５０ｎｍの光を反射し、第１光源１４が発する光に対応した中心波長４９０ｎｍの光を通過する特性を有する。つまり、本実施形態の第３光路合成部１１、中心波長９５０ｎｍの光を反射し、中心波長４９０ｎｍ帯の波長域の光を通過する。第３光路合成部１１の特性によって、第１光源１４から第１光路合成部３２Ａに進む光は、第３光路合成部１１を通過する。一方、対物レンズ３１から入射し、第１光路合成部３２Ａから第３光路合成部１１の方向に進む光は、第３光路合成部１１で反射し、撮像素子４３の方向へ進む。このように、本実施形態の眼科装置１００Ａは、撮像光学系３０から分岐し、被検者眼Ｅの眼底ＥＲへ投光する光路に、被検者眼Ｅの眼底ＥＲとは異なる部位を撮像する撮像光学系が共用されている。したがって、撮像部３を簡素化することができる。
＜１−５．第二投光光学系＞
【００２９】
本実施形態の第２投光光学系２０は、被検者眼Ｅの眼底ＥＲの観察像及びカラー撮影像を取得するために、被検者眼Ｅの眼底ＥＲに赤外光又は可視光（昼白色光）を投光するための光学系とされている。つまり、被検者眼Ｅの眼底情報を得るために、第１投光光学系が投光する光（第１波長の光）とは異なる第２波長の光を被検者眼Ｅへ投光する。第２投光光学系２０は、観察照明光学系５０、撮影照明光学系６０、指標投影光学系７０を有する。本実施形態の観察照明光学系５０は、被検者眼Ｅの眼底ＥＲに赤外光を投光するための光学系とされている。本実施形態の撮影照明光学系６０は、被検者眼Ｅの眼底ＥＲに可視光（昼白色光）を投光するための光学系とされている。本実施形態の指標投影光学系７０は、被検者眼Ｅの眼底ＥＲにフォーカシング用の指標を投影するための光学系とされている。フォーカシング用の指標（光）は赤外光とされている。観察照明光学系５０は光軸ＬＢ１を有し、撮影照明光学系６０は光軸ＬＢ２を有し、指標投影光学系７０は光軸ＬＢ３を有する。
【００３０】
本実施形態の撮影照明光学系６０は、対物レンズ３１、第１光路合成部３２Ａ、板ガラス３３、第２光路合成部３４、第３光束制限部２１、リレーレンズ２２、黒点板２３、フォーカス指標合成部２４、リレーレンズ２５、光束制限部２６、第４光束制限部２７、及び第２光源２８を有する。本実施形態の撮影照明光学系６０は、第１投光光学系とは異なる波長の光を投光して、被検者眼Ｅの通常カラー撮影を行うための投光手段とされる。撮影照明光学系６０の基端に第２光源２８が配置される。本実施形態の第２光源２８は、被検者眼Ｅの瞳孔ＥＰと共役となる第２結像位置と、角膜ＥＣと共役となる第２結像位置との間に配置される。なお、第２結像位置（第２共役位置）とは、対物レンズ３１とリレーレンズ（リレーレンズ２２，リレーレンズ２５）とを介して、被検者眼Ｅと２回目の共役となる位置である。本実施形態の第２光源２８は、クセノンフラッシュランプを用いている。本実施形態のフラッシュランプは、管が円環状に曲げられており、第２光源２８の点灯形状は円環状とされている。また、本実施形態のクセノンフラッシュランプは、発光部に透明な材料（硬質ガラス又は石英ガラス）を用いているため、後述する観察照明光学系の基端に設けられる光源５２を射出した光は、第２光源２８を通過（透光）する。なお、本実施形態の撮影照明光学系６０は、第２光源２８を用いて、少なくとも４００〜７００ｎｍ帯の波長域を含む光（第１波長λ１とは異なる第２波長λ２）を被検者眼Ｅに投光する。
【００３１】
第２光源２８と光束制限部２６との間に第４光束制限部２７が配置される。第４光束制限部２７は、被検者眼Ｅの瞳孔ＥＰと共役となる位置に設けられる。本実施形態の第４光束制限部２７は、被検者眼Ｅの眼内で生じる可能性のある不要な光（反射光又は蛍光）を抑制する不要光抑制手段とされている。第４光束制限部２７は、孔が開いた板状の部材で形成されており、開口部がリング形状（円環形状）とされる。第４光束制限部２７とリレーレンズ２５との間に光束制限部２６が配置される。光束制限部２６は、対物レンズ３１を介して被検者眼Ｅの水晶体ＥＬの後端ＥＬ１（網膜側）と共役となる位置に設けられる。本実施形態の光束制限部２６は、被検者眼Ｅの水晶体部で生じる可能性のある不要な光（反射光又は蛍光）を抑制する不要光抑制手段とされている。光束制限部２６は、孔が開いた板状の部材で形成されており、開口部がリング形状（円環形状）とされる。リレーレンズ２５は光束制限部２６とフォーカス指標合成部２４の間に位置される。第４光束制限部２７を通過した光はリレーレンズ２５によって略平行光となり、第２光路合成部３４の方向に進む。
【００３２】
フォーカス指標合成部２４は、リレーレンズ２５と黒点板２３との間に設けられる。フォーカス指標合成部２４は、第２投光光学系２０の光軸ＬＢに対して斜設されている。フォーカス指標合成部２４は、第２投光光学系２０の軸外から第２投光光学系２０の軸に向かうフォーカス指標（赤外光）を第２光路合成部の方向へと反射する。フォーカス指標合成部２４は、指標投影光学系７０の光路と第２投光光学系２０の光路とを合成する。換言するなら、フォーカス指標合成部２４は、光軸ＬＢ３と光軸ＬＢとを同軸とする。なお、フォーカス指標合成部２４は、図示なきアクチュエータ及び駆動機構によって、第２投光光学系２０に挿脱可能とされている。また、フォーカス指標合成部２４は、リレーレンズ２５と黒点板２３との間で第２投光光学系の光軸ＬＢの方向に移動可能とされている。フォーカス指標合成部２４は、撮像光学系３０のフォーカシングレンズ３６の軸方向移動と連動して、第２投光光学系の軸方向に移動する。なお、指標投影光学系７０に設けられているフォーカス指標光（赤外光）の光源部とフォーカス指標合成部２４とは１つのユニットで構成されている。したがって、フォーカス指標合成部２４が軸方向に移動することで、対物レンズ３１を介して被検者眼Ｅの眼底ＥＲに投影されるフォーカス指標の投影位置（結像位置）が変わる。換言するなら、フォーカス指標合成部２４が光軸方向に移動することで、撮像光学系３０の光軸ＬＣの光軸方向の異なる位置にフォーカス指標が投影される（例えば、特開昭５５−９６１３８号公報を参照）。
【００３３】
フォーカス指標合成部２４とリレーレンズ２２との間に黒点板２３が設けられる。黒点板２３はガラス板であり、ガラス板の表面の、第２投光光学系２０の光軸ＬＢが通過する位置に小丸黒点が形成されている。黒点板２３は、第２投光光学系２０が投光する光が対物レンズ３１を通過する際に、対物レンズ３１の表面又は内面で反射する光が撮像素子９５に向かって進み、アーチファクトが撮影画像に写り込む現象を抑制する（例えば、特公昭４７−４４６４５号公報を参照）。なお、対物レンズ３１をはじめとするレンズに励起光を投光（透光）しても蛍光が発生しないと考えられている。したがって、黒点板２３は非蛍光撮影におけるアーチファクト（光学系の部材の反射による写り込み）の抑制に効くと考えられる。続けてリレーレンズ２２を説明する。黒点板２３と第３光束制限部２１との間にリレーレンズ２２が設けられる。リレーレンズ２２は、リレーレンズ２５で略平行光にされた光束（第４光束制限部を通過した投光光束）を、リレーレンズ２２と第２光路合成部３４との間に一度結像させる。第３光束制限部２１は、リレーレンズ２２と第２光路合成部３４との間に設けられる。本実施形態の第３光束制限部２１は、被検者眼Ｅの角膜ＥＣの頂点と共役となる位置に設けられる。第３光束制限部２１は、孔が開いた板状の部材で形成されており、開口部がリング形状（円環形状）とされる。なお、撮影照明光学系６０の光軸ＬＢ１上に位置される第１光路合成部３２Ａは、第２光源を用いた撮影の際には、光軸ＬＢ１から脱出（退避）される。
【００３４】
続けて観察照明光学系５０について説明する。観察照明光学系５０の光軸ＬＢ１と撮影照明光学系６０の光軸ＬＢ２とは同軸とされている。本実施形態の観察照明光学系５０は、被検者眼Ｅの眼底ＥＲに赤外光（第１波長λ１とは異なる第２波長λ２）を投光する。観察照明光学系５０は、対物レンズ３１から第２光源までの部材を撮影照明光学系６０と共用する。差分箇所を説明する。観察照明光学系５０の基端に光源５２が設けられる。本実施形態の光源５２は、ハロゲンランプとされている。本実施形態において、光源５２は、少なくとも赤外光を射出すればよい。例えば、光源５２を赤外ＬＥＤとしてもよい。光源５２と第２光源５８との間にコンデンサレンズ５１が設けられる。コンデンサレンズ５１は、光源５２が射出する光を集光して第２光源の方向へと導く。なお、本実施形態のコンデンサレンズには赤外波長（赤外光成分）のみを通過させるコーティング処理がなされている。本実施形態においては、赤外波長として、７００〜８８０ｎｍの波長域の光を通過させる。第２光源の発光部は透明な材質で形成されているため、コンデンサレンズ５１で集光される光は、第２光源を透過して第４光束制限部に進む。なお、第１光路合成部３２Ａは７００〜８８０ｎｍ帯の波長帯の光を通過するため、観察照明光学系５０の光軸ＬＢ２上に位置される第１光路合成部３２Ａは、第２光源を用いた観察の際には、光軸ＬＢ１に挿入されたままとされる。
【００３５】
以上説明したように、本実施形態の眼科装置１００Ｂの撮影部３Ａは、眼底観察、通常カラー撮影、自発蛍光撮影、及び前眼部観察を行う撮像手段を有する。眼底観察は、観察照明光学系５０（第２投光光学系２０）を用いて７００〜８８０ｎｍ帯の波長域の光を被検者眼Ｅに投光し、眼底観察光学系８０（撮像光学系３０）を用いて７００〜８８０ｎｍ帯の波長域の光を眼底観察像として取得する。また、通常カラー撮影は、撮影照明光学系６０（第２投光光学系２０）を用いて４００〜７００ｎｍ帯の波長域の光を被検者眼Ｅに投光し、眼底撮影光学系９０（撮像光学系３０）を用いて４００〜７００ｎｍ帯の波長域の光を眼底撮影像として取得する。また、自発蛍光撮影は、第１投光光学系１０を用いて中心波長４９０ｎｍの光を自発蛍光励起光として被検者眼Ｅに投光し、眼底撮影光学系９０（撮像光学系３０）を用いて７００〜８５０ｎｍ帯の波長域の光を自発蛍光眼底像として取得する。なお前眼部観察は、アライメント指標部２５０の光源を用いて中心波長９５０ｎｍの光を被検者眼Ｅに投光し、前眼部観察光学系４０を用いて中心波長９５０ｎｍの光を被検者眼Ｅの前眼部観察像として取得する。
＜１−６．不要光除去について＞
【００３６】
続けて、図３を用いて本実施形態による不要光（不要な部位からの蛍光及び反射光）の除去手法について説明する。図３は、被検者眼Ｅの前眼部及び眼内における、第１投光光学系１０による投光光束（光束ＰＡ及び光束ＰＢ）と、撮像光学系３０の撮像光束（光束Ｓ）の状態を説明するための概念図である。なお、図３（ａ）は、第１投光光学系１０に第１光束制限部１２を設けた場合であり、図３（ｂ）は、第１投光光学系１０に第１光束制限部１２を設けない場合である。像Ａは光束制限部１３の像である。像Ｂは第１光束制限部１２の像である。像Ｃ１及び像Ｃ２は第１光源１４の像である。像Ｄは撮像絞り部３５の像である。なお、図３において、第１光源１４の箇所を、離間し、かつ幅を有する面光源として像Ｃ１及び像Ｃ２としている。既に説明したように、第１光路合成部３２Ａによって、第１投光光学系１０の光軸ＬＡと撮像光学系３０の光軸ＬＣとは同軸とされる。したがって、同軸上に像Ａ、像Ｂ、像Ｃ（像Ｃ１及び像Ｃ２）、像Ｄが配置される。実線は撮像光学系３０で撮像に用いる撮像光束（光束Ｓ）を示している。図３で示すように、周辺部（ＥＲ１，ＥＲ２）を含めて眼底ＥＲを発した光は、撮像絞り部３５Ａ（像Ｄ）で光束が絞られ、撮像絞り部３５Ａ（像Ｄ）を通過した光束は、光束が広がりつつ対物レンズ３１へ入射される。
【００３７】
点線は第１投光光学系１０で眼底ＥＲへの投光に用いる投光光束（光束ＰＡ，光束ＰＢ）を示している。図３に示すように、第１光源１４の像となる像Ｃ（像Ｃ１及び像Ｃ２）の位置で一旦集光された後、第１光源１４の光は、像Ｃの位置から眼底ＥＲの方向へと進む。像Ｃの位置から眼底に向かう第１光源１４の光束は、光束制限部１３（像Ａ）によって光束の広がりが制限されている。また、図３（ａ）においては、像Ｃの位置から眼底に向かう第１光源１４の光束は、光束制限部１３（像Ａ）で光束の広がりが制限されるのに加えて、第１光束制限部１２（像Ｂ）によっても光束の広がりが制限される。図３（ａ）と図３（ｂ）とを対比すると、被検者眼Ｅの水晶体ＥＬの内部で、投光光束（光束ＰＡ，光束ＰＢ）と撮像光束（光束Ｓ）とが交わる領域Ｕが、第１光束制限部１２（像Ｂ）の有無によって変化する。より詳しくは、図３（ｂ）においては、投光光束（光束ＰＢ）と撮像光束（光束Ｓ）とが交わる領域Ｕが生じている。
【００３８】
被検者眼Ｅへ励起光を投光した際に、被検者眼Ｅで自発蛍光が発生する部位は、眼底ＥＲに限るものでは無いとされている。本実施形態によれば、撮像光学系３０の撮像絞り部３５（像Ｄ）と第１投光光学系１０の光束制限部１３（像Ａ）とによって、被検者眼Ｅの眼内における投光光束（光束ＰＡ，光束ＰＢ）と撮像光束（光束Ｓ）との交わりを抑制する。また、本実施形態では、被検者眼Ｅの水晶体ＥＬ内で自発蛍光が発生する可能性があることに着目し、第１光束制限部１２（像Ｂ）によって、水晶体ＥＬ部で発生する自発蛍光が眼底ＥＲの自発蛍光像に重畳する不都合を抑制する。より詳しくは、図３（ｂ）における領域Ｕの箇所を低減させる。これによって、眼底ＥＲ以外の部位で生じる不要な蛍光又は反射を抑制し、好適な眼底像（眼底蛍光情報）を得る。また、本実施形態では、被検者眼Ｅの瞳孔ＥＰから角膜ＥＣの頂点までの間に第１光源１４（像Ｃ）を設けることで、第１光源１４（像Ｃ）を発した光を効率よく光束制限部１３（像Ａ）を通過させることができ、被検者眼Ｅの眼底に効率よく投光できる。
【００３９】
なお、水晶体ＥＬ部で発生する自発蛍光の度合いは、被検者眼Ｅの眼内の構造によって変わると考えられる。例えば、水晶体ＥＬが厚いと、水晶体ＥＬ部で発生する自発蛍光が重畳し易いと考えられる。また、水晶体ＥＬ部の混濁度合いによっても自発蛍光の重畳度合いが変化すると考えられる。また、使用する自発蛍光励起光の波長によっても水晶体ＥＬ部で発生する自発蛍光の度合いが変化すると考えられる。更には、撮像光学系３０の画角（眼底ＥＲから自発蛍光を取得する網膜の範囲）によっても、水晶体ＥＬ部で生じる自発蛍光の写り込みの度合いが変化すると考えられる。したがって、第１投光光学系１０に第１光束制限部１２及び光束制限部１３を備えなくてもよい場合も考えられる。また、第１光束制限部１２と光束制限部１３の少なくともいずれかを第１投光光学系１０の光路に挿脱可能にしてもよい。また、更には、第１光束制限部１２と光束制限部１３の少なくともいずれかをアイリス絞り等の光束変化手段としてもよい。また、本実施形態においては、第１光束制限部１２を被検者眼Ｅの水晶体後面ＥＬ１と共役となる位置に設けたが、これに限るものでは無い。被検者眼Ｅの瞳孔ＥＰと眼底ＥＲとの間に設ければよい。つまり、第１光束制限部１２によって、撮像光学系３０の光軸ＬＣから離間した位置から光軸ＬＣの方向に向かう投光光束を制限すればよい。
【００４０】
なお、本実施形態の眼科装置１００Ａは、被検者眼Ｅの第１結像位置に第１光源１４を設けることで、自発蛍光に用いる第１光源１４の光を効率よく眼底ＥＲに導いている。例えば、第２投光光学系２０は、リレーレンズ（リレーレンズ２２及びリレーレンズ２５）でリレーした光路に、対物レンズ３１の内面反射を抑制するための黒点板２３を設けている。したがって、第２投光光学系２０の第２光源２８は瞳孔ＥＰの第２結像位置よりも先に設けられている。第２投光光学系２０の第２光源２８を発した光は数々のレンズ群及び数々の光束制限部を通過する必要があり、減光される。一方、第１投光光学系１０の第１光源１４から発せられる光は、例えば、前述した黒点板２３もリレーレンズも通過する必要が無い。したがって、第１光源１４から発せられる光は、効率よく被検者眼Ｅの眼底ＥＲに投光できる。
【００４１】
また、本実施形態の眼科装置１００Ａは、眼底ＥＲに投光する投光光学系を複数種備えている。第１投光光学系を、光量を要し易い（非蛍光撮影時に被検者眼Ｅへ投光する光量よりも大きい光量の投光が必要とされ易い）蛍光撮影用の投光光学系としている。また、第２投光光学系２０を、多機能な投光光学系としている。例えば、第２投光光学系に、非蛍光撮影において不具合となり易い対物レンズ３１の表面及び内面の反射を抑制する黒点板２３を備えている。また、第２投光光学系に、被検者眼Ｅの眼底ＥＲへフォーカシング用の専用指標を投影する指標投影光学系７０を備えている。また、更には、第２投光光学系に、被検者眼Ｅの角膜ＥＣで反射する不要な反射光を抑制するための第３光束制限部２１を備えている。また、更には、第２投光光学系に、被検者眼Ｅの眼底ＥＲを赤外光で観察する眼底観察光学系８０を備えている。このように、複数の投光光路から種類の異なる光の入れ方（光束）で被検者眼Ｅの眼底ＥＲに投光することで、例えば、蛍光撮影を行うために複雑又は高額な光源が必要となることを抑制できる。したがって、簡素な構成であっても好適な眼底像を取得できる。
【００４２】
非蛍光撮影と蛍光撮影との組み合わせを含む複数の波長を投光し、各々投光波長に対応した被検者眼Ｅの眼底ＥＲを撮像する場合、各々投光波長によって眼底ＥＲの反射光量（蛍光量）が異なる。また、各々投光波長によって、眼底ＥＲ以外の部位で発生する不要な光（反射光又は蛍光）は異なる。更には、対物レンズ３１を共用して、本実施形態に記載したフォーカシング用の指標投影及び前眼部撮像を搭載することで、投光光学系の光路が複雑となる。したがって、被検者眼Ｅの眼底ＥＲへ投光するための投光光学系の開口数（Ｎｕｍｅｒｉｃａｌ  Ａｐｅｒｔｕｒｅ，ＮＡ）は、対物レンズ３１を共用する各々の光学的機能の光学部材の配置又は各光学的機能を構成する光学部材を組み立てる際に調整するための調整性を配慮した部品配置（レンズのパワー配分）によって左右される場合がある。本実施形態の眼科装置１００Ａは、被検者眼Ｅの眼底ＥＲに投光する投光光学系を複数設けることで、１つの投光光学系で被検者眼Ｅの眼底ＥＲに投光する場合に対して、投光光学系の開口数（ＮＡ）の自由度が増す。したがって、被検者眼Ｅに投光する波長によって好適な開口数（ＮＡ）の投光光学系を用いて投光可能となり、光源から射出された光を効率よく被検者眼Ｅへ投光できる。例えば、１つの投光光学系のみを用いる場合に対して、光源の選択肢が増える。より詳しくは、本実施形態の第１投光光学系１０のＮＡは、第２投光光学系２０のＮＡよりも大きい数値とされている。したがって、第１投光光学系１０に用いる光源の種類の選択肢が増すと共に、光源自体を低容量化できる。したがって、非蛍光撮影が可能な投光光学系のＮＡに縛られず、蛍光撮影が可能な安価な眼科装置１００Ａを提供できる。特に、蛍光励起光の光源としてＬＥＤを用いる場合、本実施形態の第１投光光学系１０はＮＡが大きいため、ＬＥＤの選択肢が増えて好適とされる。また、例えば、第２投光光学系から自発蛍光励起光を投光する場合、励起光生成用のフィルタ、及びフィルタ挿脱用の駆動機構を第２投光光学系に備える必要がある。一方、本実施形態においては、第１投光光学系１０の第１光源１４はＬＥＤであり、第１光源１４自体が蛍光励起光の波長で点灯する。つまり、自発蛍光励起光を投光する投光光学系に、自発蛍光励起光を生成するためのフィルタ及び駆動機構を設ける必要がない。したがって、故障し難く、安価な眼科装置１００Ａを提供できる。
【００４３】
＜１−７．制御系＞
撮像素子４３、撮像素子８３、撮像素子９５、挿脱手段２７０、駆動手段２７１、挿脱手段２７２、挿脱手段２７３は、及び制御部２００に接続されている。制御部２００は、撮像素子４３が撮像した前眼部観察像、撮像素子８３が撮像した眼底観察像、及び撮像素子９５が撮像した眼底撮影像をモニタ８に表示する。即ち、制御部２００は、撮像画像の表示制御手段となる。制御部２００には他に、ＸＹＺ駆動部６、移動機構２１０、挿脱機構２２０、回転ノブ４ａ、撮影スイッチ４ｂ、各種のスイッチを持つスイッチ部２３０、記憶手段２４０としてのメモリ、及び各光源等が接続されている。
＜１−８．使用方法＞
【００４４】
以上のような構成を備える眼科装置１００Ａの使用方法について説明する。先ずは自発蛍光撮影について説明する。電源が投入されると、制御部２００は、固視標の呈示位置、等の初期化動作を行う。なお、固視標の呈示位置は、検者がスイッチ部２３０に設けられた所定の視線方向変更スイッチを操作することで変更可能である。初期段階では、撮像光学系３０の光路に第１光路合成部３２Ａと光路合成部３８が挿入され、第２投光光学系２０の光路にフォーカス指標合成部２４が挿入されている。
【００４５】
初期化動作が完了すると、制御部２００は、アライメント指標部２５０の光源を点灯する。被検者眼Ｅの前眼部に赤外光が投光される。制御部２００は、被検者眼Ｅの前眼部を撮像した撮像素子４３の出力信号に基づいてモニタ８に前眼部観察像を表示する。検者は、スイッチ部２３０に設けられた撮影モード選択スイッチを操作して、自発蛍光撮影モードを選択する。制御部２００は、検者が自発蛍光撮影モードを選択したことを検出すると、バリアフィルタ部９４を撮像光学系３０（眼底撮影光学系９０）の光路に挿入する。
【００４６】
検者は、被検者の顔を顔支持部５により支持させる。検者は、モニタ８に表示される前眼部観察像を観察しながら、ジョイスティック４を操作して撮像部３を左右上下に移動させ、被検者眼Ｅと撮像部３の位置合わせを行う。検者は、スイッチ部２３０に設けられている図示なき切り換えスイッチを押す。制御部２００は、切り換えスイッチが押されたことを検出すると、モニタ８への表示に用いる信号を、撮像素子４３の出力信号から撮像素子８３の出力信号へと切り換える。この制御に伴い、モニタ８に表示される画像は、撮像素子４３の出力信号に基づく前眼部観察像から、撮像素子８３の出力信号に基づく眼底観察像へと変更される。また、制御部２００は、光源５２Ａを点灯する。検者は、眼底観察像に重畳するフォーカス指標を確認し、スイッチ部に設けられた所定のフォーカシングノブを操作してフォーカス合わせを行う。制御部２００はスイッチ部の操作を検出して結像レンズ３７及びフォーカス指標合成部を軸方向に駆動する。検者がフォーカス合わせを行うと、被検者眼Ｅの眼底ＥＲと撮像素子９５（撮像素子８３）とが共役の位置関係になる。
【００４７】
続けて、検者は撮影スイッチ４ｂを押す。制御部２００は、撮影スイッチ４ｂが押されたことを検出すると撮影開始信号を出力する。制御部２００は、光路合成部３８及びフォーカス指標合成部２４を撮像光学系３０の光路から外すと共に、アライメント指標部２５０の光源及び光源５２Ａを消灯する。続けて制御部２００は、第１光源１４を点灯させて被検者眼Ｅの眼底ＥＲに自発蛍光用の励起光を投光する。眼底ＥＲ等で生じた自発蛍光は、対物レンズ３１、バリアフィルタ部９４等の撮像光学系３０の光学部品を介して撮像素子９５で受光される。制御部２００は、撮像素子９５の出力信号に基づいてモニタ８に自発蛍光眼底像を表示する。また、制御部２００は、撮像素子９５の出力信号に基づいて生成した自発蛍光眼底像の画像データを記憶手段２４０に記憶する。
【００４８】
続けて通常カラー撮影について説明する。なお通常カラー撮影とは、一般的な眼底撮像として広く用いられている眼底カラー撮影であり、４００〜７００ｎｍ帯の波長域の光を投光し、該波長域の反射光を撮影する可視光撮影をさす。前述した初期動作が完了すると、制御部２００は、アライメント指標部２５０の光源を点灯する。被検者眼Ｅには前眼部照明光（赤外光）が投光される。制御部２００は、被検者眼Ｅの前眼部を撮像した撮像素子４３の出力信号に基づいてモニタ８に前眼部観察像を表示する。検者は、スイッチ部２３０に設けられた撮影モード選択スイッチを操作して、通常カラー撮影モードを選択する。なお、通常カラー撮影モードが選択されたため、バリアフィルタ部９４は撮像光学系３０（眼底撮影光学系９０）の光路外へと退避されたままとなる。
【００４９】
検者は、被検者の顔を顔支持部５により支持させる。検者は、モニタ８に表示される前眼部観察像を観察しながら、ジョイスティック４を操作して撮像部３を左右上下に移動させ、被検者眼Ｅと撮像部３の位置合わせを行う。検者は、スイッチ部２３０に設けられている図示なき切り換えスイッチを押す。制御部２００は、切り換えスイッチが押されたことを検出すると、モニタ８への表示に用いる信号を、撮像素子４３の出力信号から撮像素子８３の出力信号へと切り換える。この制御に伴い、モニタ８に表示される画像は、撮像素子４３の出力信号に基づく前眼部観察像から、撮像素子８３の出力信号に基づく眼底観察像へと変更される。また、制御部２００は、光源５２Ａを点灯する。検者は、眼底観察像に重畳するフォーカス指標を確認し、スイッチ部に設けられた所定のフォーカシングノブを操作してフォーカス合わせを行う。制御部２００はスイッチ部の操作を検出して結像レンズ３７及びフォーカス指標合成部を軸方向に駆動する。検者がフォーカス合わせを行うと、被検者眼Ｅの眼底ＥＲと撮像素子９５（撮像素子８３）とが共役の位置関係になる。
【００５０】
続けて、検者は撮影スイッチ４ｂを押す。制御部２００は、撮影スイッチ４ｂが押されたことを検出すると撮影開始信号を出力する。制御部２００は、第１光路合成部３２Ａ、光路合成部３８、及びフォーカス指標合成部２４を撮像光学系３０の光路から外す（退避する）と共に、アライメント指標部２５０の光源及び光源５２Ａを消灯する。続けて制御部２００は、第２光源２８を点灯させて被検者眼Ｅの眼底ＥＲに広帯域の可視光（４００〜７００ｎｍ帯の波長域）を投光する。通常の可視光が眼底ＥＲで反射した光は、対物レンズ３１等の撮像光学系３０の光学部品を介して撮像素子９５で受光される。制御部２００は、撮像素子９５の出力信号に基づいてモニタ８に通常カラー眼底像を表示する。また、制御部２００は、撮像素子９５の出力信号に基づいて生成した通常カラー眼底像の画像データを記憶手段２４０に記憶する。
＜２．第二実施形態＞
【００５１】
続けて、図４を用いて第二実施形態の眼科装置を説明する。
＜２−１．構成＞
【００５２】
なお、第一実施形態の眼科装置１００Ａと第二実施形態の眼科装置１００Ｂとは撮像部が異なるのみである。したがって、第二実施形態の眼科装置１００Ｂの撮像部３Ｂ（光学系及び制御系）を説明する。なお、第一実施形態として開示した眼科装置１００Ａの図２と同一の符号の箇所は、同一の部材を示すものとして、説明を省略する。第二実施形態の眼科装置１００Ｂの光学系は、第１投光光学系１０、第２投光光学系２０、撮像光学系３０、前眼部観察光学系４０、固視標呈示光学系、を有する。
＜２−２．撮像光学系＞
【００５３】
本実施形態の撮像光学系３０は、被検者眼Ｅの眼底を撮像するための光学系とされている。なお、本実施形態の撮像光学系３０は、赤外光（略無色）が投光された被検者眼Ｅの眼底ＥＲの観察する光学系と、可視光（青緑色）が投光された被検者眼Ｅの眼底ＥＲの撮影をするための光学系とを兼用されている。本実施形態の撮像光学系３０は、対物レンズ３１、第４光路合成部８９、第１光路合成部３２Ｂ、撮像絞り部３５Ｂ、フォーカシングレンズ３６、結像レンズ３７、光路合成部８７、バリアフィルタ部９４、及び撮像素子９５を有する。光路合成部８７は、撮像光学系３０と固視標呈示光学系の光路を合成する。換言するなら、光路合成部８７は、光軸ＬＣと固視標呈示光学系の光軸とを同軸とする。本実施形態の光路合成部８７はダイクロイックプリズムを用いる。ダイクロイックプリズムは、結像レンズ３７からバリアフィルタ部９４に向けて進む光に対して、５００〜６５０ｎｍ帯の波長域を含まない光を通過させる。また、ダイクロイックプリズムは、撮像光学系３０の光軸ＬＣと交差する方向からダイクロイックプリズムに進む５００〜６５０ｎｍ帯の波長域の光を対物レンズ３１の方向へ反射する。つまり、つまり、本実施形態の光路合成部８７は、５００〜６５０ｎｍ帯の波長域の光を反射し、５００〜６５０ｎｍ帯の波長域以外の光を通過する。なお、固視標呈示光学系の基端に固視標呈示部８６が設けられている。本実施形態の固視標呈示部８６はＬＣＤ（Ｌｉｑｕｉｄ  Ｃｒｙｓｔａｌ  Ｄｉｓｐｌａｙ）とされている。ＬＣＤによって、固視標呈示部８６はドットマトリクス状に点灯可能な呈示面を有する。ＬＣＤに含まれるバックライトによって、固視標呈示部８６から５００〜６５０ｎｍ帯の波長域の光が射出される。固視標呈示部８６から射出された光（呈示像）は、光路合成部８７で反射された後、結像レンズ３７、対物レンズ３１等を介して被検者眼Ｅの眼底ＥＲに投影される。
【００５４】
なお、本実施形態の撮像光学系３０は、光路合成部８７、バリアフィルタ部９４、撮像素子９５、及び固視標呈示部８６を１つのモジュール２６０として構成している。前述した第一実施形態の眼科装置１００Ａは、フォーカシングレンズ３６を撮像光学系３０の光軸ＬＣの軸方向に動かすことで、被検者眼Ｅの眼底ＥＲに対するフォーカシングを行う。一方、本実施形態の眼科装置１００Ｂは、フォーカシングレンズ３６を撮像光学系３０の光軸ＬＣの軸方向には動かさず、駆動手段２７４によってモジュール２６０を撮像光学系３０の光軸ＬＣの軸方向に動かすことで、被検者眼Ｅの眼底ＥＲに対するフォーカシングを行う。つまり、被検者眼Ｅに固視標を提示する固視標呈示部８６と、被検者眼Ｅの眼底ＥＲを撮像する撮像素子９５とを１つの部材に固定配置して１つのモジュール２６０とし、モジュール２６０を撮像光学系３０の他の部材に対して相対変位させることで、被検者眼Ｅの眼底ＥＲに対するフォーカシングを行う。本実施形態のフォーカシング手法は、第一実施形態に示したフォーカシングレンズ３６を動かす手法に対して、モジュール２６０を動かす移動距離が短くとも、幅広い被検者眼Ｅの視度（ディオプター値）に対応できる。したがって、本実施形態の撮像光学系３０（撮像部３Ｂ）を小型化できる。
【００５５】
また、本実施形態においては、撮像素子９５を、光源５２Ｂを用いる観察（赤外光）と、第１光源１４を用いる撮影（可視光）とで共用する。より詳しくは、後述する第２投光光学系２０によって投光され、被検者眼Ｅで反射した赤外光（中心波長８５０ｎｍ）を、バリアフィルタ部９４（７００〜８５０ｎｍ帯通過）を介して撮像素子９５で撮像する。また、後述する第１投光光学系１０によって被検者眼Ｅで発生した蛍光（自発蛍光）を、バリアフィルタ部９４（７００〜８５０ｎｍ帯通過）を介して撮像素子９５で撮像する。したがって、１つの撮像素子９５で被検者眼Ｅの眼底ＥＲの観察及び撮影を行うものとしている。これによって、撮像部３Ｂを簡素化でき、安価な眼科装置１００Ｂを提供できる。
＜２−３．第１投光光学系＞
【００５６】
本実施形態の第１投光光学系１０は、被検者眼Ｅの自発蛍光眼底像を取得するために、被検者眼Ｅの眼底ＥＲに自発蛍光励起光（青緑色）を投光するための光学系とされている。本実施形態の第１投光光学系１０は、対物レンズ３１、第４光路合成部８９、第１光路合成部３２Ｂ、第１光束制限部１２、光束制限部１３、及び第１光源１４を有する。第１光路合成部３２Ｂはダイクロイックミラーであり、第１光路合成部３２Ｂは、第１投光光学系１０が発する光に対応した中心波長４９０ｎｍの光を反射し、第２投光光学系２０が発する光に対応した中心波長８５０ｎｍの光、及び固視標呈示部８６が発する５００〜６５０ｎｍの波長域の光を通過する特性を有する。したがって、本実施形態の第１光路合成部３２Ｂは、中心波長４９０ｎｍの光を反射し、５００〜８８０ｎｍ帯の波長域の光を通過する特性とされている。なお、光束制限部１３は被検者眼Ｅの瞳孔ＥＰと共役となる第１結像位置に設けられている。光束制限部１３と第１光路合成部３２Ｂとの間に第１光束制限部１２が設けられている。本実施形態では、第１光束制限部１２は、被検者眼Ｅの水晶体後面ＥＬ１と共役となる位置に設けられている。第１光路合成部３２Ｂは、対物レンズ３１と被検者眼Ｅの瞳孔ＥＰと共役となる第一結像位置との間に設けられている。第１光源１４を射出した光は、光束制限部１３と第１光束制限部１２の開口部を通過した後、第１光路合成部３２Ｂで対物レンズ３１の方向に反射され、第４光路合成部８９と対物レンズ３１を通過して被検者眼Ｅに投光される。なお、本実施形態のバリアフィルタ部９４の作用を、第１光路合成部３２Ｂに持たせてもよい。
＜２−４．第２投光光学系＞
【００５７】
本実施形態の第２投光光学系２０は、被検者眼Ｅの眼底ＥＲの観察像を取得するために、被検者眼Ｅの眼底ＥＲに赤外光（略無色）を投光するための光学系とされている。本実施形態の第２投光光学系２０は、対物レンズ３１、第４光路合成部８９、第１光路合成部３２Ｂ、撮像絞り部３５Ｂ、及び光源５２Ｂを有する。第２投光光学系２０の光軸ＬＢは、撮像光学系３０の光軸ＬＣと同軸とされている。本実施形態の光源５２Ｂは赤外光を射出する光源を用いている。光源５２Ｂの光源は、複数個のＬＥＤで構成されている。各々のＬＥＤは光軸（光軸ＬＢ，光軸ＬＣ）から離れた位置に配置される。また、本実施形態の光源５２Ｂは、中心波長８５０ｎｍの光を射出する光源とされている。また、本実施形態の撮像絞り部３５Ｂは板状の部材とされており、板３５０と第１孔３５１と第２孔３５２とを有する（図８参照）。板３５０は支基である。第１孔３５１の孔の中心は撮像光学系３０の光軸ＬＣと同位置とされており、撮像光学系３０の撮像光束を通過させる。第２孔３５２は第２投光光学系２０の投光光束を通過させる。本実施形態の第２孔３５２は複数の孔（３５２Ａ〜３５２Ｆ）で構成されており、光源５２Ｂを構成するＬＥＤの数に対応した６つの孔が設けられている。板３５０の中心に第１孔３５１が設けられ、第１孔３５１の周辺に第２孔３５２が設けられている。なお、第１孔３５１と第２孔３５２とは板３５０によって分離されており、光源５２Ｂを射出した光は第２孔３５２の開口部のみを通過する構造とされている。また、対物レンズ３１の方向から撮像絞り部３５Ｂに進んでくる撮像光学系３０の撮像光束は、第１孔３５１のみ撮像素子９５に達する構造とされている。
【００５８】
例えば、撮像絞り部３５Ｂで投光光束（第２投光光学系２０）と撮像光束（撮像光学系３０）とを各々好適に通過させるために、撮像絞り部３５Ｂに光軸（光軸ＬＢ，光軸ＬＣ）方向に延びるバリア（障壁）を形成してもよい。本実施形態の撮像絞り部３５Ｂは、被検者眼Ｅの瞳孔ＥＰと共役となる位置に設けられている。光源５２Ｂを射出した光（赤外光）は、撮像絞り部３５Ｂの第２孔３５２（投光手段部）を通過した後、第１光路合成部３２Ｂ、第４光路合成部８９、対物レンズ３１の順で通過して被検者眼Ｅに投光される。なお、被検者眼Ｅで反射した光源５２Ｂの光は、対物レンズ３１、第４光路合成部８９、第１光路合成部３２Ｂ、撮像絞り部３５Ｂの第１孔３５１（撮像手段部）の順で通過した後、撮像光学系３０のその他の光学部材を介して撮像素子９５で撮像される。本実施形態では、撮像絞り部３５Ｂを第２投光光学系２０と撮像光学系３０とで兼用することで、簡素な構成ながらも、被検者眼Ｅの瞳孔ＥＰと共役となる位置で、投光光束と撮像光束とを好適に分離できる。したがって、不要な反射光を抑制した好適な眼底像を取得できる。
【００５９】
＜２−５．前眼部観察光学系＞
続けて本実施形態の前眼部観察光学系４０について説明する。本実施形態の前眼部観察光学系４０は、被検者眼Ｅの前眼部を観察するために、被検者眼Ｅの前眼部を撮像するための光学系とされている。前眼部観察光学系４０は、対物レンズ３１、第４光路合成部８９、ミラー４５、フィールドレンズ４１、リレーレンズ４２、及び撮像素子４３を有する。第４光路合成部８９は、前眼部観察光学系４０と撮像光学系３０とを合成する部材とされている、換言するなら、第４光路合成部８９は、光軸ＬＤと光軸ＬＣとを同軸とする。第４光路合成部８９は、対物レンズ３１と第１光路合成部３２Ｂとの間に設けられている。本実施形態の第４光路合成部８９はダイクロイックミラーであり、アライメント指標部２５０の光源の波長に対応した中心波長９５０ｎｍの波長を反射し、第１光源１４の光に対応した中心波長４９０ｎｍの光、自発蛍光と光源５２Ｂの光に対応した７００〜８５０ｎｍ帯の波長域の光、及び固視標呈示部８６が発する光に対応した５００〜６５０ｎｍ帯の波長域の光を通過させる特性を有している。したがって、本実施形態の第４光路合成部８９は、中心波長９５０ｎｍの光を反射し、４９０〜８５０ｎｍ帯の波長域の光を通過する特性とされている。したがって、アライメント指標部２５０の光源を発した光は、被検者眼Ｅの前眼部で反射した後、対物レンズ３１、第４光路合成部８９、ミラー４５、フィールドレンズ４１、リレーレンズ４２の順で介して撮像素子４３で撮像される。したがって、赤外光で照明された被検者眼Ｅの前眼部像を撮像素子４３で取得する。
【００６０】
以上説明したように、本実施形態の眼科装置１００Ｂの撮像部３Ｂは、眼底観察、自発蛍光撮影、及び前眼部観察を行う撮像手段を有する。眼底観察は、第２投光光学系２０を用いて中心波長８５０ｎｍ帯の波長域の光を被検者眼Ｅに投光し、撮像光学系３０を用いて中心波長８８０ｎｍ帯の波長域の光を眼底観察像として取得する。また、自発蛍光撮影は、第１投光光学系１０を用いて中心波長４９０ｎｍの光を自発蛍光励起光として被検者眼Ｅに投光し、撮像光学系３０を用いて７００〜８５０ｎｍ帯の波長域の光を自発蛍光眼底像として取得する。なお、前眼部観察は、アライメント指標部２５０の光源を用いて中心波長９５０ｎｍの光を被検者眼Ｅに投光し、前眼部観察光学系４０を用いて中心波長９５０ｎｍの光を被検者眼Ｅの前眼部観察像として取得する。
【００６１】
＜２−６．不要光除去について＞
続けて本実施形態の不要光の除去手法について説明する。第一実施形態の眼科装置１００Ａと本実施形態の眼科装置１００Ｂとでは被検者眼Ｅと同じ共役位置に第１光源１４が設けられている。光束制限部１３、第１光束制限部１２、撮像絞り部３５（３５Ａ，３５Ｂ）の共役位置の関係も、第一実施形態と第二実施形態とで同様とされている。したがって、第一実施形態で説明したように、被検者眼Ｅの眼内で生じる不要光を好適に除去することができる（図３参照）。また、本実施形態においても、第１投光光学系１０の光路とは異なる方向から第２投光光学系２０にて被検者眼Ｅに光を投光して撮像光学系３０で被検者眼Ｅの眼底ＥＲを撮像する。したがって、第１投光光学系１０とは異なる光学特性で被検者眼Ｅの眼底ＥＲを撮像できる。第二実施形態においては、第２投光光学系２０の不要光の除去機構を簡素化したことで、眼科装置１００Ｂの撮像部３をより簡素化できる。例えば、撮像部３を小型化でき、眼科装置１００Ｂを安価に提供できる。第二実施形態においては、第２投光光学系２０と撮像光学系３０とを用いて被検者眼Ｅの眼底を赤外光で観察し、第１投光光学系１０と撮像光学系３０とを用いて被検者眼Ｅの眼底を蛍光撮影する。第１投光光学系１０とは異なる位置で撮像光学系３０から分岐した前眼部観察光学系４０で被検者眼Ｅの前眼部像を観察できる。したがって、被検者眼Ｅに対するアライメントを好適に行うことができ、簡素な光源であっても、不要光の低減された被検者眼Ｅの眼底ＥＲの蛍光像を好適に取得できる。
【００６２】
なお、本実施形態においては、バリアフィルタ部９４の特性を７００〜８５０ｎｍ帯通過としているが、これに限るものでは無い。例えば、自発蛍光の撮像時に、アライメント指標部２５０（中心波長９５０ｎｍ）の光源及び光源５２Ｂ（中心波長８５０ｎｍ）を消灯する制御とするのであるならば、バリアフィルタ部９４の特性を、７００ｎｍ以上の光を通過するロングパスフィルターの特性としてもよい。また、本実施形態においては、第１光源１４に、中心波長４９０ｎｍで点灯する光源を用いているがこれに限るものでは無い。例えば中心波長４７５ｎｍの光源を用いてもよい。また、例えば、第１投光光学系１０を用いて５００〜６００ｎｍ帯の波長域の光を自発蛍光励起光として投光し、撮像光学系３０を用いて６５０−７５０ｎｍの光を自発蛍光として撮像してもよい。
＜２−７．使用方法＞
【００６３】
以上のような構成を備える眼底カメラの使用方法について説明する。先ずは自発蛍光撮影について説明する。電源が投入されると、制御部２００は、固視標の呈示位置、等の初期化動作を行う。なお、固視標の呈示位置は、検者がスイッチ部２３０に設けられた所定の視線方向変更スイッチを操作することで変更可能である。
【００６４】
初期化動作が完了すると、制御部２００は、アライメント指標部２５０の光源を点灯する。被検者眼Ｅの前眼部に赤外光が投光される。制御部２００は、被検者眼Ｅの前眼部を撮像した撮像素子４３の出力信号に基づいてモニタ８に前眼部観察像を表示する。検者は、被検者の顔を顔支持部５により支持させる。検者は、モニタ８に表示される前眼部観察像を観察しながら、ジョイスティック４を操作して撮像部３を左右上下に移動させ、被検者眼Ｅと撮像部３の位置合わせを行う。検者は、スイッチ部２３０に設けられている図示なき切り換えスイッチを押す。制御部２００は、切り換えスイッチが押されたことを検出すると、モニタ８への表示に用いる信号を、撮像素子４３の出力信号から撮像素子８３の出力信号へと切り換える。この制御に伴い、モニタ８に表示される画像は、撮像素子４３の出力信号に基づく前眼部観察像から、撮像素子８３の出力信号に基づく眼底観察像へと変更される。また、制御部２００は、光源５２Ｂを点灯する。
【００６５】
検者は、モニタ８に表示される眼底観察像（赤外観察像）のピント具合（合焦具合）を観察し、スイッチ部に設けられた所定のフォーカシングノブを操作してフォーカス合わせを行う。制御部２００はスイッチ部の操作を検出してモジュール２６０を軸方向に駆動する。検者がフォーカス合わせを行うと、被検者眼Ｅの眼底ＥＲと撮像素子９５とが共役の位置関係になる。続けて、検者は撮影スイッチ４ｂを押す。制御部２００は、撮影スイッチ４ｂが押されたことを検出すると撮影開始信号を出力する。制御部２００は、前眼部観察照明及び光源５２Ｂを消灯する。続けて制御部２００は、第１光源１４を点灯させて被検者眼Ｅの眼底ＥＲに自発蛍光用の励起光を投光する。眼底ＥＲで生じた自発蛍光は、対物レンズ３１、バリアフィルタ部９４等の撮像光学系３０の光学部品を介して撮像素子９５で受光される。制御部２００は、撮像素子９５の出力信号に基づいてモニタ８に自発蛍光眼底像を表示する。また、制御部２００は、撮像素子９５の出力信号に基づいて生成した自発蛍光眼底像の画像データを記憶手段２４０に記憶する。
＜３．作用及び効果＞
【００６６】
本実施形態の眼科装置１００は、被検者眼Ｅの瞳孔ＥＰと共役となる位置を通過する眼底ＥＲからの光束を制限する撮像絞り部３５Ａを、対物レンズ３１と撮像素子９５との間に配置する。また、対物レンズ３１と撮像絞り部３５Ａとを介して被検者眼Ｅの眼底像を撮像素子９５で撮像する撮像光学系３０を備える。更に、第１光源１４を有して、第１光源が出射する第１の波長（波長λ１）の光であり、かつ被検者眼Ｅの瞳孔ＥＰを通過する光束が制限された光を自発蛍光励起光として、対物レンズ３１を介して被検者眼Ｅに投光する第１投光光学系１０を備える。ここで、撮像光学系３０と第１投光光学系１０とで少なくとも一部の光路を共用するための第１光路合成部３２Ａとを備えて、撮像光学系３０の対物レンズ３１と被検者眼Ｅの瞳孔ＥＰと共役となる共役位置の間に第１光路合成部３２Ａを設ける態様とされる。かかる態様によって、第１光源１４の光を効率よく眼底ＥＲに投光すると共に、不要光（つまり、不要な部位からの蛍光及び反射光）の影響が低減された好適な眼底像を取得できる。一例として、大光量が必要とされる自発蛍光の撮影においても、光源を簡素な構成とすることができる。また、被検者眼Ｅからの光が撮像絞り部３５Ａによって制限される作用と、第１投光光学系１０の光が瞳孔ＥＰを通過する際に制限される作用との相乗効果によって、被検者眼Ｅの眼内で生じる不要な部位からの蛍光及び反射光を好適に抑制できる。
【００６７】
また、本実施形態の眼科装置１００は、第２光源２８を有して、第２光源２８が発した光を用いて第１の波長（波長λ１）とは異なる第２の波長（波長λ２）の光で被検者眼Ｅの眼底に投光する第２投光光学系２０を備える。ここで、第２投光光学系２０は、第１投光光学系１０とは異なる方向から、第１光路合成部３２Ａによって撮像光学系３０と第１投光光学系１０とで少なくとも一部の光路が共用される共用光路に向けて進み、第２光源２８の光を共用光路と対物レンズ３１とを介して被検者眼Ｅの眼底ＥＲに投光する態様とされる。かかる態様によって、第１の波長による撮像とは異なる投光光学系の特性を用いて、第２の波長を被検者眼Ｅに投光することによって眼底像を好適に撮像することができる。一例として、第２の波長に赤外光を用いることによって、被検者を不快にさせることなく、被検者眼Ｅに対する位置合わせを速やかに行うことができる。また、開口数（ＮＡ）が異なる投光光学系を用いて被検者眼Ｅの眼底を撮像できるため、光源を簡素な構成とすることができ、安価な装置を提供できる。
【００６８】
また、本実施形態の眼科装置１００は、撮像光学系３０と第２投光光学系２０との少なくとも一部の光路を共用するための第２光路合成部３４であって、対物レンズ３１を介して被検者眼Ｅの瞳孔と共役となる位置に設けられる第２光路合成部３４を備える。ここで、第２投光光学系２０は、第２光路合成部３４と第２光源２８との間に設けられ、第２光源２８が発した光の被検者眼Ｅの角膜ＥＣを透過する光束を制限する第３光束制限部２１を備える態様とされる。かかる態様によって、第１の波長とは異なる第２の波長の光を各々異なる光学系を用いて投光しても、被検者眼Ｅの眼内で生じる不要な蛍光及び反射光が低減された眼底像を得ることができる。一例として、第２の波長に通常のカラー眼底撮影を行う帯域の広い可視光（例えば４００〜７００ｎｍ）を用いることとしても、不要な反射光が生じ易いカラー眼底像を好適に取得できる
【００６９】
また、本実施形態の眼科装置１００は、第２投光光学系２０の第３光束制限部２１と第２光源２８との間に設けられ、第２光源２８が発した光であって被検者眼Ｅの瞳孔ＥＰを通過する光束を制限する第４光束制限部２７を備える態様とされる。かかる態様によって、第２投光光学系２０は、被検者眼Ｅの角膜ＥＣと瞳孔ＥＰとの各々共役位置に置かれた光束制限部を介して第２光源２８の光を被検者眼Ｅの眼底ＥＲへと投光するため、自発蛍光を撮影するため第１の波長とは異なる第２波長の光であっても、被検者眼Ｅの眼内で生じる不要な蛍光及び反射光が低減された眼底像を得ることができる。また、第２光源を第４光束制限部２７よりも遠ざけた位置に配置させたことで生まれる第３光束制限部２１と第２光源２８との間の光路に、例えば、対物レンズ３１で生じる不要な反射を低減する黒点板２３を配置することができ、不要光の低減された好適な眼底像を得ることができる。
【００７０】
また、本実施形態の眼科装置１００の撮像光学系３０は、対物レンズ３１と被検者眼Ｅの水晶体後面EL1と共役となる共役位置との間に第１光路合成部３２Ａを設けている。また、第１投光光学系１０は、第１光源１４と第１光路合成部３２Ａとの間に設けられ、第１光源１４が発した光の光束を制限する第１光束制限部１２を備える態様とされる。かかる態様によって、第１投光光学系１０の瞳孔ＥＰと共役となる位置よりも眼底ＥＲと共役となる位置側に第１光源の光の光束を制限する光束制限部を配置し易くなる。したがって、簡素な構成であっても、第１光源１４の光を効率よく被検者眼Ｅの眼底ＥＲに投光できると共に、被検者眼Ｅの眼底以外の部位で生じる不要な蛍光及び反射光を好適に抑制できる。
【００７１】
また、本実施形態の眼科装置１００の撮像光学系３０は、第１投光光学系１０によって被検者眼Ｅの眼底ＥＲで発生した自発蛍光を撮像素子９５で撮像するためのバリアフィルタ部９４であって、撮像絞り部３５Ａと撮像素子９５との間にバリアフィルタ部９４)を備える態様とされる。かかる態様によって、一例として、第１光路合成部３２Ａを安価に製造でき、安価な眼科装置１００を提供できる。また、対物レンズ３１から撮像絞り部３５Ａの間に複雑な構成を要することなく、安価な眼科装置を提供できる。
【００７２】
また、本実施形態の眼科装置１００の第１光路合成部３２Ａを、第１投光光学系１０によって被検者眼Ｅの眼底ＥＲで発生した自発蛍光を撮像素子９５で撮像するためのバリアフィルタとしての光学特性を備える態様としてもよい。かかる態様によって、例えば、撮像光学系３０に第１光路合成部３２Ａを挿脱可能な構成とする場合に対して、第１光路合成部３２Ａを撮像光学系３０の光路に挿入するだけで好適な自発蛍光像を取得することができる。複雑な構造を要することなく安価な眼科装置を提供できる。また、可動箇所を少なくすることができ、故障しにくい眼科装置を提供できる。
【００７３】
また、本実施形態の眼科装置１００は、第１光路合成部３２Ａと第１光源１４との間に第３光路合成部１１を設ける。また、第３光路合成部１１によって第１投光光学系１０から分岐した光路に設けられた受光手段で、被検者眼Ｅの眼底ＥＲとは異なる部位の画像を取得する態様とされる。かかる態様によって、例えば、被検者眼Ｅの前眼部像を取得することで、眼底像を取得するためのアライメント操作が容易になる。したがって、簡単な操作で第１光源１４を用いて好適な蛍光眼底像を取得できる。
【００７４】
また、本実施形態の眼科装置１００は、対物レンズ３１と第１光路合成部３２Ａとの間に第４光路合成部８９を設ける。また、第４光路合成部８９によって撮像光学系３０から分岐した光路に設けられた受光手段で、被検者眼Ｅの眼底ＥＲとは異なる部位の画像を取得する態様とされる。かかる態様によって、例えば、被検者眼Ｅの前眼部像を取得することで、眼底像を取得するためのアライメント操作が容易になる。したがって、簡単な操作で第１光源１４を用いて好適な蛍光眼底像を取得できる。
【００７５】
なお、本実施形態の眼科装置１００は、第１光束制限部１２と，対物レンズ３１を介して被検者眼Ｅの角膜ＥＣと共役になる位置と，の間に第１光源１４を配置する態様とされる。かかる態様によって、第１光源の光を効率よく被検者眼の眼底へ投光できる。一例として、簡素な光源にでき、安価な眼科装置を提供できる。
【００７６】
なお、本実施形態においては、前眼部観察光学系４０で被検者眼Ｅの眼底ＥＲとは異なる部位（前眼部）を撮像する構成としているが、これに限るものでは無い。前眼部観察光学系４０の替わり光干渉の技術を用いた網膜断層画像を取得する光学系を用いてもよい。なお、前眼部の断層画像を取得してもよい。この場合、光干渉に用いる光源の波長に対応させて、第３光路合成部１１及び第１光路合成部３２等の光路合成部材の特性を適宜変更することは言うまでもない。かかる形態とすることで、簡素な構成であっても、断層画像を含む好適な眼底像を取得できる眼科装置を提供できる。また、本実施形態の撮像部３のみの形態とし、即ち、手持ち型の眼科装置としてもよい。本実施形態の光学系によって、光源を発した光を効率よく被検者眼Ｅの眼底に導くことで、簡素な構成であっても好適な眼底像を取得できる手持ち型の眼科装置を提供できる。
【００７７】
また、本実施形態においては第１投光光学系１０を自発蛍光撮影用の励起光を投光するための光学系としたが、第１投光光学系１０で自発蛍光励起光以外の光を投光してもよい。例えばＦＡＧ蛍光撮影用の励起光の投光に用いてもよい。もしくは、ＩＣＧ蛍光撮影用の励起光の投光に用いてもよい。また、第１投光光学系１０を、レッドフリー撮影等の特定波長によるフィルタ撮影、又は、４００〜７００ｎｍ帯の光を投光する通常カラー撮影用の照明光の投光に用いてもよい。また、第１光源１４の箇所に複数種類の光源を並べ、第１光源１４の位置から複数波長の光を選択的に射出可能にしてもよい。例えば、波長の異なるＬＥＤを交互に並べてもよい。また、本実施形態の第１光束制限部１２及び光束制限部１３において、光束を制限する開口箇所に分光特性を備えてもよい。光束制限部に分光特性を設けることで、第１光源１４の射出波長に対応させて、光束制限領域を変化させることができる。例えば、エッチング処理にて分光透過率の異なる領域を形成させればよい。かかる形態とすることで、第１光束制限部１２及び光束制限部１３等の光束制限部を挿脱又は開口径を可変させることなく、投光する波長に応じて投光する光束の径を変化できる。したがって、簡素な構成であっても好適な眼底像を取得できる眼科装置を提供できる。
【００７８】
また、本実施形態においては第１投光光学系１０から自発蛍光用の励起光を投光し、第２投光光学系２０から赤外光又は通常カラー撮影光を投光する態様としたが、第２投光光学系２０からＦＡＧ蛍光撮影用又はＩＣＧ蛍光撮影用の励起光を投光してもよい。異なる投光方法の投光光学系を用いることで、簡素な構成であっても好適な眼底像を取得できる眼科装置を提供できる。例えば、光量を要する自発蛍光の投光光学系を、本実施形態の第１投光光学系１０の態様とすることで、眼科装置の光源を簡素な構成とできる。
【００７９】
今回開示された実施形態はすべての点で例示であって、制限的なものではないと考えられるべきである。本発明の範囲は、上記した説明ではなく、特許請求の範囲によって示され、特許請求の範囲及びこれと均等の意味及び範囲内でのすべての変更が含まれることが意図される。
【符号の説明】
【００８０】
１０  第１投光光学系
１２  第１光束制限部
１３  光束制限部
１４  第１光源
２０  第２投光光学系
３０  撮像光学系
３１  対物レンズ
３２  第１光路合成部
３４  第２光路合成部
３５  撮像絞り部
４０  前眼部観察光学系
９４  バリアフィルタ部
９５  撮像素子
Ｅ  被検者眼
【図１】
2016007433.tif 000003
【図２】
2016007433.tif 000004
【図３】
2016007433.tif 000005
【図４】
2016007433.tif 000006
【図５】
2016007433.tif 000007
【図６】
2016007433.tif 000008
【図７】
2016007433.tif 000009
【図８】
2016007433.tif 000010
【図９】
2016007433.tif 000011